(57)【特許請求の範囲】
【請求項１】
左右の側柱と、これら左右の側柱の上端部間に接続された無目と、これら左右の側柱及び無目によって囲まれた空間で左右方向へ開閉動作する引戸と、前記左右の側柱間の中央寄りで引戸面に対し屋外側から近接する中柱とを備え、一方の前記側柱と前記中柱と前記無目とによって囲まれた通路空間を前記引戸によって開閉するようにし、前記通路空間の屋外側に、左右の側枠とこれら側枠の上端部間に連続する上枠とからなる一体状の三方枠を設け、この三方枠の前記左右の側枠を、それぞれ前記上枠に対し水密に接続している引戸装置における製造方法であって、
当該引戸装置の設置対象である躯体の開口部に対し一体状の前記三方枠を固定する工程と、前記無目と前記左右の側柱とを接続して一体状にする工程と、これら一体状の無目及び左右の側柱を前記三方枠に接続する工程とを含むことを特徴とする引戸装置の製造方法。
【請求項２】
前記三方枠は、左側の前記側枠を一方の前記側柱に接続し、右側の前記側枠を前記中柱に接続するとともに、前記上枠を前記無目に接続していることを特徴とする請求項１記載の引戸装置の製造方法。
【発明の詳細な説明】
【技術分野】
【０００１】
本発明は、屋外に連通する通路空間を引戸により開閉するようにした引戸装置に関するものである。
【背景技術】
【０００２】
従来、この種の引戸装置には、例えば特許文献１に記載のもののように、左右の側柱（戸先側縦枠１２，戸尻側建枠１４）と、これら左右の側柱の上端部間に接続された無目（上側横枠）と、これら左右の側柱及び無目によって囲まれた空間で左右方向へ開閉動作する引戸（２０）と、前記左右の側柱間の中央寄りで引戸面に対し近接する中柱（中央側縦枠１３）とを備え、一方の前記側柱と前記中柱と前記無目とによって囲まれた通路空間を前記引戸によって開閉するようにした引戸装置がある。そして、このような引戸装置には、通路空間に連通するように、左右の側枠と上枠とからなる三方枠が設けられる場合がある。
ところで、前記構成の引戸装置では、前記した左右の側枠や、無目、三方枠を構成する左右の側枠及び上枠等を、分離した全体で現場に搬入した後、その現場で枠状に組み立てるのが一般的であった。
【０００３】
しかしながら、前記引戸装置を、建物における屋外に面する通路空間等に、前記三方枠を外側にして設置した場合には、三方枠を構成する上枠と左右の側枠との接続箇所に隙間が形成され、該隙間から雨水等が侵入するおそれがある。そこで、前記隙間を現場でシールする作業が必要になるが、その作業に時間がかかる上、シール材等により外観状の体裁を損ねてしまう場合もある。
【先行技術文献】
【特許文献】
【０００４】
【特許文献１】特開２０１４−２１１０３８号公報
【発明の概要】
【発明が解決しようとする課題】
【０００５】
本発明は上記従来事情に鑑みてなされたものであり、その課題とする処は、防水性及び組立性を向上することができる引戸装置の製造方法を提供することにある
【課題を解決するための手段】
【０００６】
上記課題を解決するための一手段は、左右の側柱と、これら左右の側柱の上端部間に接続された無目と、これら左右の側柱及び無目によって囲まれた空間で左右方向へ開閉動作する引戸と、前記左右の側柱間の中央寄りで引戸面に対し屋外側から近接する中柱とを備え、一方の前記側柱と前記中柱と前記無目とによって囲まれた通路空間を前記引戸によって開閉するようにし、前記通路空間の屋外側に、左右の側枠とこれら側枠の上端部間に連続する上枠とからなる一体状の三方枠を設け、この三方枠の前記左右の側枠を、それぞれ前記上枠に対し水密に接続している引戸装置における製造方法であって、当該引戸装置の設置対象である躯体の開口部に対し一体状の前記三方枠を固定する工程と、前記無目と前記左右の側柱とを接続して一体状にする工程と、これら一体状の無目及び左右の側柱を前記三方枠に接続する工程とを含むことを特徴とする。
【発明の効果】
【０００７】
本発明は、以上説明したように構成されているので、防水性及び組立性を向上することができる。
【図面の簡単な説明】
【０００８】
【図１】本発明の引戸装置の一例を示す正面図である。
【図２】同引戸装置の縦断面図である。
【図３】同引戸装置の横断面図である。
【図４】同引戸装置の分解斜視図である。
【発明を実施するための形態】
【０００９】
本実施の形態の第一の特徴は、左右の側柱と、これら左右の側柱の上端部間に接続された無目と、これら左右の側柱及び無目によって囲まれた空間で左右方向へ開閉動作する引戸と、前記左右の側柱間の中央寄りで引戸面に対し屋外側から近接する中柱とを備え、一方の前記側柱と前記中柱と前記無目とによって囲まれた通路空間を前記引戸によって開閉するようにした引戸装置において、前記通路空間の屋外側に、左右の側枠とこれら側枠の上端部間に連続する上枠とからなる一体状の三方枠が設けられ、この三方枠は、前記左右の側枠を、それぞれ前記上枠に対し水密に接続している。
この構成によれば、左右の側枠の各々と上枠との隙間から雨水が三方枠内に浸入するようなことを防ぐことができる。
【００１０】
第二の特徴として、より組立性及び防水性を向上するために、前記三方枠は、左側の前記側枠を一方の前記側柱に接続し、右側の前記側枠を前記中柱に接続するとともに、前記上枠を前記無目に接続した。
【００１１】
第三の特徴としては、引戸装置の製造方法であって、当該引戸装置の設置対象である躯体の開口部に対し一体状の前記三方枠を固定する工程と、前記無目と前記左右の側柱とを接続して一体状にする工程と、これら一体状の無目及び左右の側柱を前記三方枠に接続する工程とを含む。
この製造方法によれば、防水性に優れた引戸装置を速やかに組み立てることができる。
【実施例】
【００１２】
次に、上記特徴を有する好ましい実施例を、図面に基づいて詳細に説明する。
【００１３】
引戸装置Ａは、図１に示すように、左右の側柱１１，１２と、これら左右の側柱１１，１２の上端部間に接続された無目１３と、これら左右の側柱１１，１２及び無目１３によって囲まれた空間で左右方向へ開閉動作する吊式の引戸２０と、左右の側柱１１，１２間の中央寄りで引戸面に対し屋外側から近接する中柱１４とを備え、一方の側柱１１と中柱１４と無目１３とによって囲まれた通路空間Ｓを引戸２０によって開閉するように構成される。そして、通路空間Ｓの屋外側（図２によれば左側）には、一体状の三方枠３０が設けられる。
この引戸装置Ａは、建築躯体Ｘにおける矩形状の開口部ｘ１に、前記通路空間Ｓを連通させるようにして設置される。
【００１４】
なお、本明細書中、「屋外側」とは、水が浸入する可能性がある場合において、その水の浸入経路の上流側に対応する側を意味し、すなわち、水の浸入を阻止や抑制することが望まれる側をいう。また、以下の説明中、「室内側」とは、戸厚方向において前記屋外側に対する逆側を意味する。本発明に係る実施例は、例えば、建物内の廊下や通路等、屋外側の概念が必ずしも明確でない引戸に対しても適用可能である。
【００１５】
側柱１１，１２は、引戸２０の開閉動作領域を間に置くようにしてその両側に設けられた柱状部材である。各側柱１１（又は１２）は、建築躯体Ｘの壁面に対し、図示しないアンカー等を介して固定されている。
【００１６】
無目１３は、側柱１１，１２の上端部間にわたって水平状に設けられた中空箱状の部材であり（図２参照）、建築躯体Ｘの壁面に対しアンカー等（図示せず）を介して固定される。
この無目１３内部には、引戸２０を吊るして左右方向へ案内するガイドレール１５が固定されている。このガイドレール１５は、引戸開閉方向へ連続する断面Ｌ字状の長尺部材である。
【００１７】
中柱１４は、全閉時の引戸２０における戸尻側端部に対し戸厚方向に重なり合う長尺状の部材であり、その上端側が無目１３に接続され、下端側が床面等の不動部位に接続されている。
【００１８】
引戸２０は、矩形状の引戸本体２１、該引戸本体２１をガイドレール１５に吊るす吊車２２（図２参照）、戸先側に設けられた施錠機構２３及び取手２４等から構成される。
【００１９】
引戸本体２１は、正面視矩形状の表板２１ａと裏板２１ｂの間に、芯材２１ｃ及び骨材２１ｄ等を挟んで構成される。
骨材２１ｄは、断面凹状の長尺部材であり、引戸本体２１内における上下辺側と左右辺側にそれぞれ設けられる。下辺側の骨材２１ｄは、図２に示すように、下方を開口するとともに引戸横幅方向へ連続して設けられ、その内面を、ガイド部材２５によって案内されるガイド溝２１ｄ１としている。
【００２０】
ガイド部材２５は、ガイド溝２１ｄ１の内側面に沿って転動するガイドローラ２５ａと、ガイドローラ２５ａを回転自在に支持する支持軸２５ｂとを具備して構成され、引戸２０の全閉状態で戸尻寄りに位置し（図３参照）、支持軸２５ｂの下端を床面等の不動部位に固定している。
【００２１】
三方枠３０は、左右の側枠３１，３２とこれら側枠３１，３２の上端部間に連続する上枠３３とから一体状に構成される。
【００２２】
側枠３１，３２の各々は、上下方向へ連続する断面略凹状（図３参照）の部材であり、その凹状部分により、建築躯体Ｘの壁部における通路空間Ｓ側の側端部を覆うようにして配設され、図示しないアンカーにより前記壁部に固定される。図３中、符号３４は、側枠３１（又は３２）と建築躯体Ｘの壁部との隙間を埋める気密材である。この気密材３４は、各側枠３１（又は３２）の上下方向の全長にわたって連続して設けられる。
一方（図示例によれば左側）の側枠３１は、その室内側の部分が、一方の側柱１１に対し、ネジやボルト等の止着具によって接続される。
他方（図示例によれば右側）の側枠３２は、その室内側の部分が、中柱１４に対し、ネジやボルト等の止着具によって接続される。
【００２３】
なお、図示例において、右とは引戸２０の開放方向（言い換えれば、戸尻方向）、左とは引戸２０の閉鎖方向（言い換えれば、戸先方向）である。これらの方向は、例えば、図示例の構造を左右反転することで、逆に定義することが可能である。
【００２４】
上枠３３は、左右の側枠３１，３２の上端部間にわたって連続する断面略凹状（図２参照）の部材であり、その凹状部分により、建築躯体Ｘの壁部における通路空間Ｓ側の下端部を覆うようにして配設され、図示しないアンカーにより前記壁部に固定される。図２中、符号３５は、上枠３３と建築躯体Ｘの壁部との隙間を埋める気密材である。この気密材３５は、側枠３１，３２の上端部間の全長にわたって連続して設けられる。
そして、この上枠３３は、その室内側の部分が、無目１３に対し、ネジやボルト等の止着具によって接続される。
【００２５】
上記構成の三方枠３０は、左右の側枠３１，３２を、それぞれ上枠３３に対し水密に接続してなる。
詳細に説明すれば、上枠３３の両端部は、それぞれ、側枠３１の上端側と下端側とに突き合せられる（図４参照）。そして、左右の各突き合せ部分は、戸厚方向（図２によれば左右方向）の全長にわたり連続して隙間のないように溶接されている。
【００２６】
次に、上記構成の引戸装置Ａを建築躯体Ｘに設置する際の手順について詳細に説明する。
三方枠３０は、当該引戸装置Ａを工場で製造する際に、側枠３１，３２及び上枠３３を上記溶接により一体状に構成される。そして、この三方枠３０は、前記一体状のまま建築躯体Ｘ内に搬入される。
三方枠３０以外の部材（側柱１１，１２、無目１３、中柱１４及び引戸２０）は、それぞれに分離した状態で、建築躯体Ｘ内に搬入される。
【００２７】
そして、先ず、三方枠３０が建築躯体Ｘの開口部ｘ１に対し固定される。
詳細に説明すれば、下方を開放した一体凹枠状の三方枠３０は、建築躯体Ｘ壁部の開口部ｘ１に嵌め合せられ、左右の側枠３１，３２及び上枠３３が、それぞれ、アンカー（図示せず）を介して開口部ｘ１の左右の縁及び上縁に止着固定される。その止着後、三方枠３０と建築躯体Ｘとの隙間は、気密材３４，３５によって塞がれる。
【００２８】
一方、左右の側柱１１，１２及び無目１３は、建築躯体Ｘ内に搬入された後に、下方を開放した一体凹枠状に組み付けられる。この際、側柱１１と無目１３、及び側柱１２と無目１３は、ネジ等の止着具により接続される。
そして、一体凹枠状の側柱１１，１２及び無目１３が、三方枠３０に対し室内側から接続される。この際、左の側柱１１は側枠３１に対しネジ止め等により止着され、右の側柱１２は側枠３２に対しネジ止め等により止着され、上枠３３は無目１３に対しネジ止め等により止着される。また、左右の側柱１１，１２は、それぞれ、図示しないアンカーにより建築躯体Ｘにも接続される。
【００２９】
次に、中柱１４の上端側が、無目１３に対しネジ等の止着具により接続される。同中柱１４は、図示しないアンカーによって建築躯体Ｘにも接続される。
【００３０】
次に、引戸２０下端側のガイド溝２１ｄ１が、ガイド部材２５に嵌め合せられ、同引戸２０上端側の吊車２２が、無目１３内のガイドレール１５に吊り下げられ、引戸装置Ａの設置が完了する。
【００３１】
よって、上記構成の引戸装置Ａによれば、三方枠３０の側枠３１，３２及び上枠３３をそれぞれ分離した状態で建築躯体Ｘに搬入するようにした従来技術と比較し、現場での組立性が良好な上、三方枠３０を構成する側枠３１，３２と上枠３３の間を溶接によって水密に接続しているため、建築躯体Ｘ外の雨水が、側枠３１（又は３２）内や上枠３３内に侵入したり、さらに室内側へ流れ込んだりするようなこと防ぐことができ、防水性にも優れている。
【００３２】
なお、上記実施例によれば、吊り式の引戸装置Ａに対し上記構成の三方枠３０等を適用したが、他例としては、床面のレールに沿って戸車を転動させるようにした引戸装置に、上記三方枠３０等の構成を適用することも可能である。
【００３３】
また、上記実施例によれば、片引き式の引戸装置Ａに上記構成の三方枠３０等を適用したが、他例としては、引き分け式の引戸装置に三方枠３０を適用すること可能である。
【００３４】
また、上記実施例によれば、特に好ましい態様として、側枠３１，３２と上枠３３との間を溶接により接続したが、他例としては、側枠３１，３２と上枠３３との間を嵌合やネジ止め等の止着手段により接続し、これらの間の隙間に、戸厚方向へ連続するように気密材を充填した態様とすることも可能である。また、強度上や気密上等において支障がなければ、前記以外の手段により前記接続の箇所を接続することも可能である。
【符号の説明】
【００３５】
１１，１２：側柱
１３：無目
１４：中柱
３０：三方枠
２０：引戸
３１，３２：側枠
３３：上枠
Ｓ：通路空間
Ｘ：建築躯体
ｘ１：開口部
【図１】
0006541446.tif 000002
【図２】
0006541446.tif 000003
【図３】
0006541446.tif 000004
【図４】
0006541446.tif 000005